(57)【特許請求の範囲】
【請求項１】
残像現象を利用して連続光として認識される予め定めた短い特定周期で論理を交互に反転させる方形波信号を生成する方形波信号生成手段と、
第１の表示を行う第１の表示指示信号を前記方形波信号生成手段によって生成した方形波信号と論理積をとる第１の表示指示信号整形手段と、
第２の表示を行う第２の表示指示信号を前記方形波信号生成手段によって生成した方形波信号の論理を反転したものと論理積をとる第２の表示指示信号整形手段と、
前記第１の表示指示信号整形手段および第２の表示指示信号整形手段によって論理積をとることでそれぞれ整形した信号を、これら整形後の信号とは異なる無線通信用の信号の伝送用に設けられた１本の同軸ケーブルの一端にそれぞれ異なった極性の信号として重畳して前記１本の同軸ケーブルの他端に接続された表示用ユニットに伝送する信号伝送手段と、
前記表示用ユニット側に配置され、第１の極性の信号に対して第１の表示色で発色する第１の表示手段と、
前記表示用ユニット側に配置され、第１の極性と反対の第２の極性の信号に対して第１の表示色と異なる第２の表示色で発色する第２の表示手段
とを具備することを特徴とする複数色表示システム。
【請求項２】
前記第２の表示手段は前記第１の表示手段と近接して配置されていることを特徴とする請求項１記載の複数色表示システム。
【請求項３】
前記方形波信号生成手段は、１００ＨＺの方形波信号を生成することを特徴とする請求項１記載の複数色表示システム。
【請求項４】
前記第１の表示色と第２の表示色は、緑色と赤色であることを特徴とする請求項１記載の複数色表示システム。
【請求項５】
前記表示用ユニットはアンテナ側のユニットであり、前記１本の同軸ケーブルは通信機器本体とアンテナを接続してることを特徴とする請求項１記載の複数色表示システム。
【発明の詳細な説明】
【技術分野】
【０００１】
本発明は、複数色表示システムに係わりに、たとえば通信機器本体とアンテナとを分離し、かつアンテナの配置された側の筐体にインジケータとしての機能を具備させる場合に好適な複数色表示システムに関する。
【背景技術】
【０００２】
通信機器本体とアンテナユニットを分離して、これらの間を同軸ケーブルで接続した通信機器が各種存在している。同軸ケーブルは、外界からの不要な電磁波を通信機器本体に伝達させないために用いられている。このような通信機器の一例を挙げると、アンテナ分離式ＥＴＣ（Electronic Toll Collection）車載器、アンテナ分離式ＧＰＳ（Global Positioning System）受信機器、インジケータ付き外付けアンテナを備えた無線ＬＡＮ（Local Area Network）装置、あるいは携帯電話用のインジケータ付き外付けアンテナのようなものがある。
【０００３】
このような通信機器では、ユーザからアンテナユニットがよく見えても、これと同軸ケーブルで接続された通信機器本体が見えにくい場所に配置されることも多い。そこで、アンテナユニットには通信機器本体の状態を一目で分かるようにするためにインジケータが搭載されているのが通常である（たとえば特許文献１参照）。通信機器本体の各種の状態をアンテナユニット側のインジケータで表示するためには、これらの間に専用の信号線を設けることも可能であるが、両者の間には同軸ケーブルが接続されている。そこで、この同軸ケーブルに直流を重畳させて通信機器本体側の信号をアンテナユニット側のインジケータを表示することが本発明の関連技術として存在している。同軸ケーブルは、以上のような用途だけでなくアンテナユニット側に電波増幅用の増幅器を設けたときにこれに通信機器本体側から電源を供給するためにも使用されている。
【０００４】
図８は、アンテナユニット側にインジケータを設けるようにした通信機器の構成の一例を表わしたものである。本発明に関連するこの通信機器８００は、通信機器本体８０１と、アンテナユニット８０２とを同軸ケーブル８０３で接続した構成となっている。同軸ケーブル８０３は、芯線８１１の周囲をシールド線８１２で覆ったものである。シールド線８１２は通信機器本体８０１とアンテナユニット８０３の双方で接地されている。
【０００５】
通信機器本体８０１は、同軸ケーブルの芯線８１１と直流阻止用のコンデンサ８２１を介して接続されたＲＦ（Radio Frequency）受信・送信回路８２２を備えている。また、芯線８１１に一端を接続した直流分離用のインダクタ８２３の他端は、アンテナユニット８０２側のアンテナの接続を検出するためのアンテナ検出回路８２４と、直流重畳回路８２５および直流分離回路としてのコンデンサ８２６の一端にそれぞれ接続されている。コンデンサ８２６他端は接地されている。
【０００６】
直流重畳回路８２５は、アンテナユニット８０２側に同軸ケーブル８０３を介してインジケータ用の信号を重畳させるための回路である。この通信機器８００では電源８３１の供給を受けるトランジスタスイッチ回路８３２を備えている。トランジスタスイッチ回路８３２には、表示用信号８３５が内部のトランジスタのオン・オフを制御する制御信号として供給されるようになっている。表示用信号８３５は、アンテナユニット８０２側での表示を制御するための図示しない表示制御回路から出力されるようになっている。トランジスタスイッチ回路８３２のオン・オフ制御される出力側は、電流制限抵抗８３８の一端に接続されている。電流制限抵抗８３８の他端側は直流分離用のインダクタ８２３の前記した他端側に接続されている。
【０００７】
直流重畳回路８２５で、表示用信号８３５が表示のためにオン状態となると、トランジスタスイッチ回路８３２がオンとなって、その間だけ電源８３１による所定の電位がインダクタ８２３の前記した他端側に現われる。
【０００８】
一方、アンテナユニット８０２は、同軸ケーブルの芯線８１１に内蔵アンテナ８４１を接続すると共に、直流分離用のインダクタ８４２の一端を接続している。このインダクタ８４２の他端には、一端を接地した直流分離用のコンデンサ８４３の他端と、一端を接地したアンテナ検出用抵抗８４４の他端と、インジケータ８４５の一端がそれぞれ接続されている。インジケータ８４５は、その一端側にこれを構成するＬＥＤ（Light Emitting Diode）のアノード側を接続しており、カソード側は接地されている。
【０００９】
このような通信機器８００で、ＲＦ受信・送信回路８２２はコンデンサ８２１および同軸ケーブル８０３の芯線８１１を介して内蔵アンテナ８４１と接続されている。したがって、内蔵アンテナ８４１の受信した電波はＲＦ受信・送信回路８２２に送られて受信データの処理が行われる。また、ＲＦ受信・送信回路８２２の作成した送信データは内蔵アンテナ８４１に送られて、外部に電波が放出される。インジケータ８４５はＬＥＤとなっており、表示用信号８３５によってトランジスタスイッチ回路８３２がオンになると、その間だけ点灯する。
【特許文献１】実用新案登録第３０５７２７０号公報（第０００６段落、図１）
【発明の開示】
【発明が解決しようとする課題】
【００１０】
ところで通信機器本体とアンテユニットが同軸ケーブルのみで接続されているときは、アンテナユニット側のインジケータが伝送されてくる信号の関係から１種類の状態表示を行うことしかできなかった。もちろん、同軸ケーブルの他にインジケータ用の信号線を更に配置する場合には、この信号線を使用して、より多くの状態表示を行うことができる。しかしながら、この場合には通信機器本体とアンテユニットを接続するケーブルがその分だけ太くなるだけでなく、コストもアップするという問題があった。
【００１１】
また、一般に表示用ユニット側に線路を増設せずに表示のための信号を伝送するとき、表示色の切り替えが困難であった。
【００１２】
そこで本発明の目的は、アンテナと通信機器本体の間に接続された同軸ケーブルを使用して、アンテナ側のユニットでインジケータを複数点灯させて表示を行うことのできる複数色表示システムを提供することにある。
【課題を解決するための手段】
【００１５】
本発明では、（イ）残像現象を利用して連続光として認識される予め定めた短い特定周期で論理を交互に反転させる方形波信号を生成する方形波信号生成手段と、（ロ）第１の表示を行う第１の表示指示信号を前記した方形波信号生成手段によって生成した方形波信号と論理積をとる第１の表示指示信号整形手段と、（ハ）第２の表示を行う第２の表示指示信号を前記した方形波信号生成手段によって生成した方形波信号の論理を反転したものと論理積をとる第２の表示指示信号整形手段と、（ニ）前記した第１の表示指示信号整形手段および第２の表示指示信号整形手段によって論理積をとることでそれぞれ整形した信号を、これら整形後の信号とは異なる無線通信用の信号の伝送用に設けられた１本の同軸ケーブルの一端にそれぞれ異なった極性の信号として重畳して前記した１本の同軸ケーブルの他端に接続された表示用ユニットに伝送する信号伝送手段と、（ホ）前記した表示用ユニット側に配置され、第１の極性の信号に対して第１の表示色で発色する第１の表示手段と、（へ）前記した表示用ユニット側に配置され、第１の極性と反対の第２の極性の信号に対して第１の表示色と異なる第２の表示色で発色する第２の表示手段とを複数色表示システムが具備する。
【発明の効果】
【００１７】
以上説明したように本発明によれば、本来の信号に重畳する形で表示用のユニット側に、異なった信号特性の信号を表示のために伝送することにした。これにより、同軸ケーブルや他の線路を表示用に増設することなく、表示用のユニット側で複数色の表示が可能になる。このため、通信機器あるいは複数色表示システムで簡易に複数色の表示が可能になるだけでなく、線路を増設しないので、表示用のユニットとの線路の接続が従来のコネクタでそのまま可能であるという実用上の効果がある。
【発明を実施するための最良の形態】
【００１８】
以下実施例につき本発明を詳細に説明する。
【実施例１】
【００１９】
図１は、本発明の第１の実施例における通信機器の構成を表わしたものである。この通信機器１００は、通信機器本体１０１と、アンテナユニット１０２とを同軸ケーブル１０３で接続した構成となっている。同軸ケーブル１０３は、芯線１１１の周囲をシールド線１１２で覆ったものである。シールド線１１２は通信機器本体１０１とアンテナユニット１０３の双方で接地されている。
【００２０】
通信機器本体１０１は、同軸ケーブルの芯線１１１と直流阻止用のコンデンサ１２１を介して接続されたＲＦ（Radio Frequency）受信・送信回路１２２を備えている。また、芯線１１１に一端を接続した直流分離用のインダクタ１２３の他端は、アンテナユニット１０２側のアンテナの接続を検出するためのアンテナ検出回路１２４と、直流重畳回路１２５および直流分離回路としてのコンデンサ１２６の一端にそれぞれ接続されている。コンデンサ１２６他端は接地されている。
【００２１】
直流重畳回路１２５は、アンテナユニット１０２側に同軸ケーブル１０３を介してインジケータ用の信号を重畳させるための回路である。本実施例では正電源１３１の供給を受ける第１のトランジスタスイッチ回路１３２と、負電源１３３の供給を受ける第２のトランジスタスイッチ回路１３４の２種類のトランジスタによるスイッチ回路を備えている。第１のトランジスタスイッチ回路１３２には、第１の表示用信号１３５が内部のトランジスタのオン・オフを制御する制御信号として供給されるようになっている。また、第２のトランジスタスイッチ回路１３４には、第２の表示用信号１３６が内部のトランジスタのオン・オフを制御する制御信号として供給されるようになっている。これら第１および第２の表示用信号１３５は、アンテナユニット１０２側での表示を制御するための表示制御回路１３７から出力される。
【００２２】
第１のトランジスタスイッチ回路１３２のオン・オフ制御される出力側は、第１の電流制限抵抗１３８の一端に接続されている。同様に第２のトランジスタスイッチ回路１３４のオン・オフ制御される出力側は、第２の電流制限抵抗１３９の一端に接続されている。第１および第２の電流制限抵抗１３８、１３９の他端側は共に直流分離用のインダクタ１２３の前記した他端側に共通接続されている。
【００２３】
このような直流重畳回路１２５では、第１の表示用信号１３５が表示のためにオン状態となると、第１のトランジスタスイッチ回路１３２がオンとなって、その間だけ正電源１３１による正の電位がインダクタ１２３の前記した他端側に現われる。また、第２の表示用信号１３６が表示のためにオン状態となると、第２のトランジスタスイッチ回路１３４がオンとなって、その区間だけ負電源１３３による負の電位がインダクタ１２３の前記した他端側に現われることになる。
【００２４】
一方、アンテナユニット１０２は、同軸ケーブルの芯線１１１に内蔵アンテナ１４１を接続すると共に、直流分離用のインダクタ１４２の一端を接続している。このインダクタ１４２の他端には、一端を接地した直流分離用のコンデンサ１４３の他端と、一端を接地したアンテナ検出用抵抗１４４の他端と、第１および第２のインジケータ１４５、１４６のそれぞれ一端が接続されている。このうち第１のインジケータ１４５は、その一端側にこれを構成するＬＥＤ（Light Emitting Diode）のアノード側を接続しており、カソード側は接地されている。これに対して、第２のインジケータ１４６は、その一端側にこれを構成するＬＥＤのカソード側を接続しており、アノード側は接地されている。
【００２５】
このような第１の実施例の通信機器１００で、ＲＦ受信・送信回路１２２はコンデンサ１２１および同軸ケーブル１０３の芯線１１１を介して内蔵アンテナ１４１と接続されている。したがって、内蔵アンテナ１４１の受信した電波はＲＦ受信・送信回路１２２に送られて受信データの処理が行われる。また、ＲＦ受信・送信回路１２２の作成した送信データは内蔵アンテナ１４１に送られて、外部に電波が放出される。
【００２６】
ところで表示制御回路１３７は、通信機器本体１０１内の図示しない制御用のＣＰＵ（Central Processing Unit）が同じく図示しないＲＯＭ（Read Only Memory）等のメモリに格納した制御プログラムを実行することによって、アンテナユニット１０２内の第１および第２のインジケータ１４５、１４６の表示制御を行うようになっている。本実施例で正電源１３１は＋５Ｖ（ボルト）となっており、負電源１３３は−３．３Ｖとなっている。また、第１のインジケータ１４５は緑色の発色を行うＬＥＤであり、第２のインジケータ１４６は赤色の発色を行うＬＥＤとなっている。通信機器本体１０１内の第１の電流制限抵抗１３８は、第１のインジケータ１４５の点灯時の明るさを調整する抵抗であり、第２の電流制限抵抗１３９は、第２のインジケータ１４６の点灯時の明るさを調整する抵抗である。
【００２７】
図２は、この表示制御回路の表示制御の例を表わしたものである。図１と共に説明する。前記したＣＰＵは、第１のインジケータ１４５による緑色の表示点灯制御に関してＲＦ受信・送信回路１２２の受信感度が良好であるかどうか（ステップＳ２０１）と、データの送信中であるかどうか（ステップＳ２０２）のチェックを行うようになっている。また、第２のインジケータ１４６による赤色の表示点灯制御に関して、所定のデータエラーが発生したかどうか（ステップＳ２０３）と、受信感度が不良であるかどうか（ステップＳ２０４）のチェックを行うようになっている。
【００２８】
このうち、受信感度が良好であると判別されている状態では（ステップＳ２０１：Ｙ）、表示制御回路１３７が第１の表示用信号１３５を連続的にオンにする（ステップＳ２０５）。これにより、正の電圧が同軸ケーブルの芯線１１１を伝送される送受信用の信号に重畳してアンテナユニット１０２側に伝送される。そして、インダクタ１４２を経由して第１および第２のインジケータ１４５、１４６の一端に印加される。この一端にはこのとき正の電圧が印加されるので、第１のインジケータ１４５のみが点灯し、緑色の連続光が出力される。これにより、ユーザは通信機器１００が良好な受信状態にあることを知ることができる。
【００２９】
また、ユーザがデータの送信を行うような場合には（ステップＳ２０２：Ｙ）、表示制御回路１３７が第１の表示用信号１３５をたとえば１秒間隔で送信中にオン・オフさせる（ステップＳ２０６）。これにより、正の電圧が断続的に同軸ケーブルの芯線１１１を伝送される送受信用の信号に重畳してアンテナユニット１０２側に伝送される。この結果、第１のインジケータ１４５のみが断続的に点灯し、緑色の光が点滅する。これにより、ユーザは通信機器１００がデータの送信中であることを知ることができる。
【００３０】
更に、相手側の通信にデータエラーが検出された場合には（ステップＳ２０３：Ｙ）、表示制御回路１３７が第２の表示用信号１３６を連続的にオンにする（ステップＳ２０７）。これにより、負の電圧が同軸ケーブルの芯線１１１を伝送される送受信用の信号に重畳してアンテナユニット１０２側に伝送される。そして、インダクタ１４２を経由して第１および第２のインジケータ１４５、１４６の一端に印加される。この一端にはこのとき負の電圧が印加されるので、第２のインジケータ１４６のみが点灯し、赤色の連続光が出力される。これにより、ユーザはデータエラーに関する障害の発生を知ることができる。
【００３１】
なお、本実施例で使用されているアンテナ検出回路１２４は、内蔵アンテナ１４１が何らかの原因でアンテナユニット１０２側で抜けた状態となったことを通信機器本体１０１側で検出する回路である。万が一、同軸ケーブル１０３の接続を忘れたり、外来的な要因で同軸ケーブル１０３が抜けた場合、通信機器本体１０１側から見て、プルダウン抵抗としてのアンテナ検出用抵抗１４４が存在しなくなるので、アンテナ検出回路１２４は内蔵アンテナ１４１の未接続を検知することができる。ただし、この場合には、アンテナユニット１０２に通信機器本体１０１側から電源１３１、１３３が供給されなくなり、第１のインジケータ１４５や第２のインジケータ１４６はその異常事態を表示することができない。そこで、このような事態が発生した場合、通信機器本体１０１内の図示しないブザー発話ユニットが鳴動してユーザに障害の発生を通知するようになっている。
【００３２】
また、図示しない無線基地局から離れすぎている等の理由で受信感度が不良な状態となっていると判別されている状態では（ステップＳ２０４：Ｙ）、表示制御回路１３７が第２の表示用信号１３６をたとえば１秒間隔でオン・オフさせる（ステップＳ２０８）。これにより、負の電圧が断続的に同軸ケーブルの芯線１１１を伝送される送受信用の信号に重畳してアンテナユニット１０２側に伝送される。この結果、第２のインジケータ１４６のみが断続的に点灯し、赤色の光が点滅する。これにより、ユーザは通信機器１００の受信状態が不良であることを知ることができる。
【００３３】
以上説明したように第１の実施例によれば、通信機器本体１０１の内部に正電源１３１と負電源１３３が備えられている場合、アンテナユニット１０２側にＬＥＤを１個追加すると共に、通信機器本体１０１側の制御プログラムを変更するだけで、インジケータが表示色を使い分けた表示を行うことを安価に実現することができる。しかも通信機器本体１０１とアンテナユニット１０２の変更にとどまるので、将来、両者の間の接続ケーブルを交換しても、これによって表示に関する機能が制限されることはない。
【実施例２】
【００３４】
図３は、本発明の第２の実施例における通信機器の構成を表わしたものである。図３に示した通信機器１００Ａで図１と同一部分には同一の符号を付しており、これらの説明を適宜省略する。この第２の実施例の通信機器本体１０１Ａでは、直流重畳回路１２５Ａの電源１３１Ａと電源１３３Ａが正のそれぞれ異なった電圧を出力するようになっている。この実施例では一方の電源１３１Ａが＋３．３Ｖを出力するようになっており、他方の電源１３３Ａが＋５Ｖを出力するようになっている。表示制御回路１３７Ａから出力される第１の表示用信号１３５Ａは、第１のトランジスタスイッチ回路１３２Ａを構成するトランジスタのオン・オフを制御する制御信号としての電圧に設定されている。同様に、表示制御回路１３７Ａから出力される第２の表示用信号１３６Ａは、第２のトランジスタスイッチ回路１３４Ａを構成するトランジスタのオン・オフを制御する制御信号としての電圧に設定されている。
【００３５】
また、第１のトランジスタスイッチ回路１３２Ａの出力側に接続された第１の電流制限抵抗１３８Ａおよび第２のトランジスタスイッチ回路１３４Ａの出力側に接続された第２の電流制限抵抗１３９Ａは、アンテナユニット１０２Ａ側でたとえば直流分離用のインダクタ１４２以降の回路部分が何らかの原因で接地したような場合に、電源１３１Ａあるいは電源１３３Ａが直接接地される事態を防止する役割を持っている。
【００３６】
一方、アンテナユニット１０２Ａでは、芯線１１１に一端を接続したインダクタ１４２の他端は、直流分離用のコンデンサ１４３とアンテナ検出用抵抗１４４に接続される他に、電圧検出器３０１の検出端子と、低電圧側制御トランジスタ３０２のエミッタと、第２のインジケータ用電流制限抵抗３０３の一端に接続されている。この第２のインジケータ用電流制限抵抗３０３の他端には第２のインジケータ１４６Ａを構成するＬＥＤのアノードが接続されており、カソードは高電圧側制御トランジスタ３０４を構成するＮチャネルＭＯＳ−ＦＥＴ（Metal Oxide Semiconductor-Field Effect Transistor）のドレインＤに接続されている。ＮチャネルＭＯＳ−ＦＥＴ３０４のソースＳは接地されており、ゲートＧは第１および第２の抵抗３０５、３０６の直列回路を介して、低電圧側制御トランジスタ３０２を構成するＰチャネルバイポーラトランジスタのベースに接続されている。また、第１の抵抗３０５と第２の抵抗３０６の接続点３０７には、電圧検出器３０１の出力端子が接続されている。この接続点３０７は、電圧検出器３０１の検出結果に基づいてＨ（ハイ）インピーダンスあるいはＬ（ロー）インピーダンスに保たれるようになっている。
【００３７】
低電圧側制御トランジスタ３０２のコレクタには第１のインジケータ用電流制限抵抗３０８の一端が接続されており、その他端は第１のインジケータ１４５のアノードに接続されている。第１のインジケータ１４５のカソードは接地されている。すなわち、第１のインジケータ１４５はそのアノードとカソードの配列が第１の実施例と全く同一であるが、第２のインジケータ１４６Ａの方は、第１の実施例の図１に示した第２のインジケータ１４６と比較するとアノードとカソードの配列が逆となっている。
【００３８】
このような第２の実施例の通信機器１００Ａで電圧検出器３０１はその検出端子に入力する電圧ＥINを検出して、これがしきい値ＥTHを超える場合に接続点３０７側をＨインピーダンス状態とする。また、電圧ＥINがしきい値ＥTH以下の場合には接続点３０７側をＬインピーダンス状態とする。ここでしきい値ＥTHは、通信機器本体１０１Ａ側で電源１３１Ａの＋３．３Ｖの電圧が第１のトランジスタスイッチ回路１３２Ａから出力されたときの電圧ＥIN1よりも高い電圧値であり、電源１３３Ａの＋５Ｖの電圧が第２のトランジスタスイッチ回路１３４Ａから出力されたときの電圧ＥIN2よりも低い値であり、次の（１）式によって表わされる。
【００３９】
ＥIN1≦ＥTH＜ＥIN2……（１）
【００４０】
たとえば、しきい値ＥTHは、電圧ＥIN1と電圧ＥIN2を加算して２で割った値に設定される。
【００４１】
今、表示制御回路１３７Ａから第１の表示用信号１３５Ａが出力されたとする。すると、電圧検出器３０１の検出端子の検出する電圧は電圧ＥIN1であり、しきい値ＥTH以下となる。これにより、電圧検出器３０１は接続点３０７をＬインピーダンスとする。この状態で低電圧側制御トランジスタ３０２はエミッタとコレクタの間がオンとなる。これにより、低電圧側制御トランジスタ３０２のコレクタを介して第１のインジケータ１４５に電流が流れ、緑色の発色で点灯が行われる。
【００４２】
このとき、低電圧側制御トランジスタ３０２のエミッタ側の接続点からプラス側の電圧が第２のインジケータ用電流制限抵抗３０３を介して、第２のインジケータ１４６Ａを構成するＬＥＤのアノードに印加される。しかしながら、第２のインジケータ１４６Ａのカソード側に接続された高電圧側制御トランジスタ３０４がこの状態でオフとなっている。したがって、第２のインジケータ１４６Ａはこの状態で点灯しない。
【００４３】
次に、表示制御回路１３７Ａから第２の表示用信号１３６Ａが出力された場合を説明する。この場合、電圧検出器３０１の検出端子の検出する電圧は電圧ＥIN2であり、しきい値ＥTHを超える。これにより、電圧検出器３０１は接続点３０７側をＨインピーダンスの状態とする。この状態で低電圧側制御トランジスタ３０２はオフとなる。これにより、第１のインジケータ１４５は消灯状態となる。
【００４４】
このとき、低電圧側制御トランジスタ３０２のエミッタ側の接続点からプラス側の電圧が第２のインジケータ用電流制限抵抗３０３を介して、第２のインジケータ１４６Ａを構成するＬＥＤのアノードに印加される。この状態で高電圧側制御トランジスタ３０４はオンとなる。したがって、第２のインジケータ１４６Ａに電流が流れ、赤色の発色で点灯が行われる。
【００４５】
この第２の実施例の通信機器１００Ａでは、第１のインジケータ１４５と第２のインジケータ１４６Ａの一方が点灯しているとき他方が必ず消灯するという相補的な点灯制御が行われる。したがって、たとえば内蔵アンテナ１４１あるいは受信状態の正常と異常を択一的に表示したり、送信状態と受信状態を択一的に表示するといった用途に使用することができる。
【００４６】
以上説明した第２の実施例と異なって、電圧検出器３０１が、電源１３１Ａ（たとえば＋３．３Ｖ）の電圧と電源１３３Ａ（たとえば＋５Ｖ）の電圧のいずれが印加されているかをしきい値ＥTHで判別すると共に、これらのいずれの電圧も印加されていない状態（たとえば重畳分の電圧が０Ｖ）を他のしきい値で判別できるようにしてもよい。これにより、第１のインジケータ１４５と第２のインジケータ１４６Ａをそれぞれが時間的に重複しない範囲で独立して点灯制御することができる。
【００４７】
この第２の実施例によれば、たとえば１種類の正の電源しか存在しないような場合であっても、抵抗回路による分圧等の手法によって複数の出力電圧の電源を簡易に作成することができ、インジケータの表示の多様性に役立てることができる。
【実施例３】
【００４８】
図４は、本発明の第３の実施例における通信機器の構成を表わしたものである。図４に示した通信機器１００Ｂで図３と同一部分には同一の符号を付しており、これらの説明を適宜省略する。この第３の実施例の通信機器本体１０１Ｂで、直流重畳回路１２５Ｂ内の表示制御回路１３７Ｂが第１の表示用信号１３５Ａと第２の表示用信号１３６Ａをそれぞれ出力する点で、図３に示した表示制御回路１３７Ａと同一である。第１の表示用信号１３５Ａを入力する第１のトランジスタスイッチ回路１３２Ａおよび第２の表示用信号１３６Ａを入力する第２のトランジスタスイッチ回路１３４Ａも第２の実施例と変わりない。
【００４９】
しかしながら第３の実施例の通信機器本体１０１Ｂの場合には、第１の実施例の図１に示した負電源１３３に相当する負電源４０１が用意されており、これが図１に示した第２のトランジスタスイッチ回路１３４に対応する第３のトランジスタスイッチ回路４０２に供給されるようになっている。表示制御回路１３７Ｂは、この第３のトランジスタスイッチ回路４０２に第３の表示用信号４０３の供給も行うようになっている。第３のトランジスタスイッチ回路４０２の出力側には第３の電流制限抵抗４０４の一端が接続されており、その他端は第１の電流制限抵抗１３８Ａおよび第２の電流制限抵抗１３９Ａと共に、芯線１１１に一端を接続した直流分離用のインダクタ１２３の他端側に接続されている。
【００５０】
このような直流重畳回路１２５Ｂでは、一番目の電源１３１Ａが＋３．３Ｖを出力し、二番目の電源１３３Ａが＋５Ｖを出力する。三番目の負電源４０１は−３．３Ｖを出力する。もちろん、それぞれの電源１３１Ａ、１３３Ａ、４０１の出力する電圧はこれらに限定されるものではない。要は三番目の負電源４０１がアンテナユニット１０２Ｂ側がＬＥＤを表示駆動するだけの電圧を出力するものであればよい。
【００５１】
一方、アンテナユニット１０２Ｂ側は、図３に示した第２の実施例のアンテナユニット１０２Ａに第３のインジケータ４１１を追加した構成となっている。第３のインジケータ４１１はたとえば白色に発色するＬＥＤで構成されており、そのカソード側が低電圧側制御トランジスタ３０２のエミッタ側に接続されている。第３のインジケータ４１１のアノード側は接地されている。
【００５２】
このような第３の実施例の通信機器１００Ｂで、直流重畳回路１２５Ｂ内の表示制御回路１３７Ｂが第１の表示用信号１３５Ａを出力した場合、および第２の表示用信号１３６Ａを出力した場合の動作は第２の実施例と全く同様である。これらの場合、第３のインジケータ４１１のカソード側に正の電圧が印加される。したがって、第３のインジケータ４１１は消灯状態を保つことになる。
【００５３】
一方、表示制御回路１３７Ｂから第３の表示用信号４０３が出力されると、電圧検出器３０１の検出する電位に拘わらず低電圧側制御トランジスタ３０２はオフとなる。また、この状態では第１のインジケータ１４５および第２のインジケータ１４６Ａとアノードとカソードの接続方向が逆となっている第３のインジケータ４１１が点灯する。したがって、第３の表示用信号４０３の出力されるタイミングで第３のインジケータ４１１が白色に発色することになる。この結果、表示制御回路１３７Ｂの制御によって、第１および第２の実施例よりも複雑な表示制御が可能になる。
【実施例４】
【００５４】
図５は、本発明の第４の実施例における通信機器の構成を表わしたものである。図５に示した通信機器１００Ｃで図１と同一部分には同一の符号を付しており、これらの説明を適宜省略する。この第４の実施例の通信機器本体１０１は、図１に示した第１の実施例と構成上で同一である。ただし、第４の実施例では第１の実施例でインジケータをＬＥＤで構成していたものを白熱電球で構成している。したがって、正電源１３１および負電源１３３の出力電圧は、使用する白熱電球の特性に応じて適宜変更することになる。
【００５５】
第４の実施例でアンテナユニット１０２Ｃ側には、直流分離用のインダクタ１４２と直流分離用のコンデンサ１４３およびアンテナ検出用抵抗１４４の共通接続点５０１に第１のダイオード５０２のアノード側と第２のダイオード５０３のカソード側を接続している。第１のダイオード５０２のカソード側には、第１のインジケータ５０５を構成する第１の白熱電球のフィラメントの一端が接続されており、そのフィラメントの他端は接地されている。また、第２のダイオード５０３のアノード側には、第２のインジケータ５０６を構成する第２の白熱電球のフィラメントの一端が接続されており、そのフィラメントの他端は接地されている。
【００５６】
このような構成の第４の実施例の通信機器１００Ｃによれば、ＬＥＤの代わりとして２つの白熱電球を点灯制御することができる。これら第１および第２のインジケータ５０５、５０６の発光する色を適宜選択することができることは当然である。また、通常の白熱電球の他に、ネオン電球、蛍光灯等の各種の発光手段を製品の特徴に応じて使い分けることができることも当然である。
【実施例５】
【００５７】
図６は、本発明の第５の実施例における通信機器の構成を表わしたものである。図６に示した通信機器１００Ｄで図１と同一部分には同一の符号を付しており、これらの説明を適宜省略する。この第５の実施例のアンテナユニット１０２は、図１に示した第１の実施例と構成上で同一である。ただし、本実施例では第１のインジケータ１４５と第２のインジケータ１４６の混合色を利用して、緑色と赤色およびこれらを混合した場合の黄色の合計３色を再現するようにしている。したがって、第１のインジケータ１４５と第２のインジケータ１４６の発色が重なるように両者を近接して配置することが好ましい。
【００５８】
通信機器本体１０１Ｄの方は、直流重畳回路１２５Ｄを構成する表示制御回路１３７Ｄから出力される第１および第２の表示用信号１３５Ｄ、１３６Ｄと、方形波生成回路６０１から出力される１００ＨＺの方形波信号６０２とがロジック回路６０３に供給されるようになっている。ロジック回路６０３は、第１の表示用信号１３５Ｄを一方の入力端子に入力する第１のアンド回路６０５と、第２の表示用信号１３６Ｄを一方の入力端子に入力する第２のアンド回路６０６と、方形波信号６０２の論理を反転させるインバータ６０７を備えている。インバータ６０７で反転させる前の方形波信号６０２は第１のアンド回路６０５の他方の入力端子の入力となり、反転後の方形波信号６０８は第２のアンド回路６０６の他方の入力端子の入力となるようになっている。
【００５９】
第１のトランジスタスイッチ回路１３２は、正電源１３１と、第１のアンド回路６０５から出力される第１のロジック出力信号６１１を入力するようになっている。第１のロジック出力信号６１１は方形波生成回路６０１から出力される１００ＨＺの方形波信号６０２との論理積をとった信号なので、１００ＨＺの周期で＋５Ｖをオン・オフさせる信号を出力するようになっている。したがって表示制御回路１３７Ｄから第１の表示用信号１３５Ｄのみが出力される状態では、第１のインジケータ１４５のみが１００ＨＺの周期で点灯し、ユーザは残像によって緑色の連続光が出力されているように判別する。第１の電流制限抵抗１３８は輝度を適正な値に設定するために使用されている。
【００６０】
一方、第２のトランジスタスイッチ回路１３４は、負電源１３２と、第２のアンド回路６０６から出力される第２のロジック出力信号６１２を入力するようになっている。第２のロジック出力信号６１２は方形波生成回路６０１から出力される１００ＨＺの方形波信号６０２の論理をインバータ６０７によって反転させた（位相を１８０度ずらした）方形波信号６０８との論理積をとった信号である。したがって第２のロジック出力信号６１２は、第１のロジック出力信号６１１がオンのときにオフとなり、オフのときにオンとなる信号を出力するようになっている。このため表示制御回路１３７Ｄから第２の表示用信号１３６Ｄのみが出力される状態では、第２のインジケータ１４６のみが１００ＨＺの周期で点灯し、ユーザは残像によって赤色の連続光が出力されているように判別する。第２の電流制限抵抗１３９は輝度を適正な値に設定するために使用されている。
【００６１】
次に表示制御回路１３７Ｄから第１および第２の表示用信号１３５Ｄ、１３６Ｄが同時に出力される場合について説明する。この場合には、第１のインジケータ１４５と第２のインジケータ１４６が互い違いにオン・オフする。この結果、緑色と赤色の明色混合によって、ユーザは緑色と赤色の残像による加色混合で黄色が発色していると判別する。すなわち、本実施例では表示制御回路１３７Ｄが３種類の信号を切り替えて出力することで、２つのインジケータを使用して３色の表示を使い分けることができる。
【００６２】
なお、この第５の実施例で緑色と赤色をそれぞれ単独で発色させるときと、両者を共に交互に発光させて黄色に発色させるときとで輝度が相違するような場合には、第１および第２の表示用信号１３５Ｄ、１３６Ｄが同時に出力される場合を他のアンド回路で論理積をとり、このタイミングで第１および第２の電流制限抵抗１３８、１３９の抵抗値を調整するようにすればよい。このような回路は、第１および第２の電流制限抵抗１３８、１３９自体を可変抵抗にしたり、これらの電流制限抵抗１３８、１３９と並列に抵抗値調整用の抵抗とスイッチの直列回路を接続するといったような手法を採ることで実現することができる。
【実施例６】
【００６３】
図７は、本発明の第６の実施例における通信機器の構成を表わしたものである。図７に示した通信機器１００Ｅで図１と同一部分には同一の符号を付しており、これらの説明を適宜省略する。この第６の実施例で通信機器本体１０１は、第１の実施例と同一である。第６の実施例では外付けアンテナ７０１を使用しており、これをインジケータユニット７０２の外部に取り付けた構成となっている。したがって、同軸ケーブル１０３の一端を取り付けたインジケータユニット７０２内には内蔵アンテナ１４１（図１参照）が配置されていない。インジケータユニット７０２内のその他の構成はアンテナユニット１０２と同一であるので、その説明を省略する。
【００６４】
以上説明したように同軸ケーブル１０３は第６の実施例のように外付けアンテナ７０１に接続されていてもよいし、インジケータの配置された筐体に内蔵された内蔵アンテナ１４１であってもよい。もちろん、内蔵アンテナ１４１と外付けアンテナ７０１の両方を備えるような構成であってもよい。
【図面の簡単な説明】
【００６５】
【図１】本発明の第１の実施例における通信機器の構成を表わした回路図である。
【図２】第１の実施例における表示制御回路の表示制御の様子を表わした流れ図である。
【図３】本発明の第２の実施例における通信機器の構成を表わした回路図である。
【図４】本発明の第３の実施例における通信機器の構成を表わした回路図である。
【図５】本発明の第４の実施例における通信機器の構成を表わした回路図である。
【図６】本発明の第５の実施例における通信機器の構成を表わした回路図である。
【図７】本発明の第６の実施例における通信機器の構成を表わした回路図である。
【図８】アンテナユニット側にインジケータを設けるようにした通信機器の構成の一例を表わした回路図である。
【符号の説明】
【００６６】
１００、１００Ａ、１００Ｂ、１００Ｃ、１００Ｄ、１００Ｅ  通信機器
１０１、１０１Ａ、１０１Ｂ、１０１Ｄ  通信機器本体
１０２、１０２Ａ、１０２Ｂ、１０２Ｃ  アンテナユニット
１０３  同軸ケーブル
１２２  ＲＦ受信・送信回路
１３１  正電源
１３１Ａ、１３３Ａ  電源
１３２、１３２Ａ  第１のトランジスタスイッチ回路
１３３、４０１  負電源
１３４、１３４Ａ  第２のトランジスタスイッチ回路
１３７、１３７Ａ、１３７Ｂ、１３７Ｄ  表示制御回路
１４１  内蔵アンテナ
１４５  第１のインジケータ
１４６、１４６Ａ  第２のインジケータ
３０１  電圧検出器
３０２  低電圧側制御トランジスタ
３０４  高電圧側制御トランジスタ
４０２  第３のトランジスタスイッチ回路
４１１  第３のインジケータ
５０２  第１のダイオード
５０３  第２のダイオード
５０５  第１のインジケータ
５０６  第２のインジケータ
６０１  方形波生成回路
６０５  第１のアンド回路
６０６  第２のアンド回路
６０８  方形波信号
７０１  外付けアンテナ
７０２  インジケータユニット
【図１】
0004604252.tif 000002
【図２】
0004604252.tif 000003
【図３】
0004604252.tif 000004
【図４】
0004604252.tif 000005
【図５】
0004604252.tif 000006
【図６】
0004604252.tif 000007
【図７】
0004604252.tif 000008
【図８】
0004604252.tif 000009